(57)【要約】【課題】蓄電池が充電器によって充電されているときに、表示手段により充電量を表示するようにした充電量表示装置及び充電量表示方法を提案するものである。【解決手段】この充電量表示装置は、充電量を表示する表示部２１と、充電量に基づいて制御対象部を動作させるビデオカメラ装置Ａと、ビデオカメラ装置Ａに対して蓄積された電圧を供給する蓄電池Ｂと、蓄電池Ｂを充電する充電器Ｃとを備え、蓄電池Ｂが充電器Ｃによって充電されているときに、表示部２１により充電量を表示するようにしたので、充電中の蓄電池を装置に装着した状態で、装置側で表示させて知ることができる。【選択図】図１
2006333700.tif 000002
【特許請求の範囲】
【請求項１】
内蔵又は装着されたバッテリにより電源が供給される電子機器装置において、
前記バッテリと通信する通信手段と、
前記バッテリから前記通信手段を介して前記バッテリの電力残量情報を受信する受信手段と、
前記電子機器装置の実際の電力消費量から消費電力情報を算出する演算手段と、
前記演算手段により算出された前記消費電力情報を記憶する記憶手段と、
前記バッテリによる前記電子機器装置の使用可能時間を表示する表示手段とを備え、
前記電子機器装置の電源が切られた状態において、前記演算手段は、前記受信手段により受信した前記電力残量情報と前記記憶手段により記憶された前記消費電力情報とに基づいて、前記使用可能時間を算出し、
前記表示手段は、前記演算手段により算出された前記使用可能時間を表示すること
を特徴とする電子機器装置。
【請求項２】
前記電子機器装置は、さらに、前記バッテリを充電する充電手段を備え、
前記表示手段は、前記電子機器装置の電源が切られた前記バッテリの充電中に、前記通信手段により受信した電力残量情報と前記記憶手段により記憶された消費電力情報とに基づいて算出された前記使用可能時間を表示すること
を特徴とする請求項１に記載の電子機器装置。
【請求項３】
前記電子機器装置は、さらに、被写体を撮像する撮像手段と、
前記撮像手段により撮像された映像信号を記録する記録手段と、
前期記録手段により記録された映像信号を再生する再生手段とを備え、
前記電子機器装置の電源が切られた状態とは、少なくとも前記撮像手段、記録手段、再生手段の動作が停止している状態であること
を特徴とする請求項１に記載の電子機器装置。
【請求項４】
前記消費電力情報は、前記撮像手段又は前記記録手段又は前記再生手段を動作させた状態における前記電子機器装置消費電力情報であること
を特徴とする請求項３記載の電子機器装置。
【請求項５】
前記電子機器装置は、携帯電話装置であること
を特徴とする請求項１に記載の電子機器装置。
【請求項６】
内蔵又は装着されたバッテリにより電源が供給される電子機器装置、及び前記バッテリを充電する充電装置とで構成される電子機器システムにおいて、
前記電子機器装置は、
前記バッテリと通信する通信手段と、
前記バッテリから前記通信手段を介して前記バッテリの電力残量情報を受信する受信手段と、
前記電子機器装置の実際の電力消費量から消費電力情報を算出する演算手段と、
前記演算手段により算出された前記消費電力情報を記憶する記憶手段と、
前記バッテリによる前記電子機器装置の使用可能時間を表示する表示手段とを備え、
前記電子機器装置の電源が切られた状態において、前記演算手段は、前記受信手段により受信した前記電力残量情報と前記記憶手段により記憶された前記消費電力情報とに基づいて、前記使用可能時間を算出し、
前記表示手段は、前記演算手段により算出された前記使用可能時間を表示すること
を特徴とする電子機器システム。
【請求項７】
内蔵又は装着されたバッテリにより電源が供給される電子機器装置の充電方法において、
前記バッテリと通信する通信ステップと、
前記バッテリから前記通信ステップを介して前記バッテリの電力残量情報を受信する受信ステップと、
前記電子機器装置の実際の電力消費量から消費電力情報を算出する演算ステップと、
前記演算ステップにより算出された前記消費電力情報を記憶する記憶ステップと、
前記バッテリによる前記電子機器装置の使用可能時間を表示する表示ステップとを含み、
前記電子機器装置の電源が切られた状態において、前記演算ステップは、前記受信ステップにより受信した前記電力残量情報と前記記憶ステップにより記憶された前記消費電力情報とに基づいて、前記使用可能時間を算出し、
前記表示ステップは、前記演算ステップにより算出された前記使用可能時間を表示すること
を特徴とする電子機器装置の充電方法。
【請求項８】
内蔵又は装着されたバッテリにより電源が供給される電子機器装置、及び前記バッテリを充電する充電装置とで構成される電子機器システムの充電方法において、
前記電子機器装置の充電処理は、
前記バッテリと通信する通信ステップと、
前記バッテリから前記通信ステップを介して前記バッテリの電力残量情報を受信する受信ステップと、
前記電子機器装置の実際の電力消費量から消費電力情報を算出する演算ステップと、
前記演算ステップにより算出された前記消費電力情報を記憶する記憶ステップと、
前記バッテリによる前記電子機器装置の使用可能時間を表示する表示ステップとを含み、
前記電子機器装置の電源が切られた状態において、前記演算ステップは、前記受信ステップにより受信した前記電力残量情報と前記記憶ステップにより記憶された前記消費電力情報とに基づいて、前記使用可能時間を算出し、
前記表示ステップは、前記演算ステップにより算出された前記使用可能時間を表示すること
を特徴とする電子機器システムの充電方法。
【発明の詳細な説明】
【技術分野】
【０００１】
本発明は、蓄電池を装着および内蔵した充電量表示装置に対して、充電器により充電する際に充電量を表示する電子機器装置及び電子機器システム、電子機器装置の充電方法及び電子機器システムの充電方法に関する。
【背景技術】
【０００２】
従来、カメラ一体型ビデオテープレコーダ（以下、「カメラ一体型ＶＴＲ」という。）は、カメラ部とＶＴＲ部とにより構成され、カメラ部により撮像された被写体の映像が電気信号に変換され、ＶＴＲ部により所定の信号処理を施された後に磁気テープに磁気記録されるようになされていた。
【０００３】
そして、ＶＴＲ部で磁気テープに記録された映像信号は再生されてモニタに供給され、映像信号の画像を表示するようにしていた。
【０００４】
このようなカメラ一体型ＶＴＲでは、蓄電池を装着しおよび内蔵していて、この蓄電池に対して充電器により充電して、充電された蓄電池の電圧を用いてカメラ一体型ＶＴＲを動作させるようにしていた。
【発明の開示】
【発明が解決しようとする課題】
【０００５】
しかし、上述した従来のカメラ一体型ＶＴＲでは、充電中に現在の充電状態でカメラ一体型ＶＴＲを動作させた場合にどのくらいの使用可能残時間があるのかを知る手段が全くないという不都合があった。
【０００６】
また、充電器で充電中に充電中の蓄電池の使用可能残時間を計算する場合には、カメラ一体型ＶＴＲの消費電力情報が必要であるため、実際にカメラ一体型ＶＴＲを動作させた状態（放電状態）でしか計算することができないという不都合があった。
【０００７】
本発明は以上の点を考慮してなされたもので、蓄電池が充電器によって充電されているときに、表示手段により充電量を表示するようにした電子機器装置及び電子機器システム、電子機器装置の充電方法及び電子機器システムの充電方法を提案しようとするものである。
【課題を解決するための手段】
【０００８】
かかる課題を解決するため本発明の電子機器装置は、内蔵又は装着されたバッテリにより電源が供給される電子機器装置において、前記バッテリと通信する通信手段と、前記バッテリから前記通信手段を介して前記バッテリの電力残量情報を受信する受信手段と、前記電子機器装置の実際の電力消費量から消費電力情報を算出する演算手段と、前記演算手段により算出された前記消費電力情報を記憶する記憶手段と、前記バッテリによる前記電子機器装置の使用可能時間を表示する表示手段とを備え、前記電子機器装置の電源が切られた状態において、前記演算手段は、前記受信手段により受信した前記電力残量情報と前記記憶手段により記憶された前記消費電力情報とに基づいて、前記使用可能時間を算出し、前記表示手段は、前記演算手段により算出された前記使用可能時間を表示するものである。
【０００９】
また、この発明の電子機器システムは、内蔵又は装着されたバッテリにより電源が供給される電子機器装置、及び前記バッテリを充電する充電装置とで構成される電子機器システムにおいて、前記電子機器装置は、前記バッテリと通信する通信手段と、前記バッテリから前記通信手段を介して前記バッテリの電力残量情報を受信する受信手段と、前記電子機器装置の実際の電力消費量から消費電力情報を算出する演算手段と、前記演算手段により算出された前記消費電力情報を記憶する記憶手段と、前記バッテリによる前記電子機器装置の使用可能時間を表示する表示手段とを備え、前記電子機器装置の電源が切られた状態において、前記演算手段は、前記受信手段により受信した前記電力残量情報と前記記憶手段により記憶された前記消費電力情報とに基づいて、前記使用可能時間を算出し、前記表示手段は、前記演算手段により算出された前記使用可能時間を表示するものである。
【００１０】
本発明の電子機器装置によれば、以下の作用をする。
通信手段はバッテリと通信するように作用する。受信手段はバッテリから通信手段を介してバッテリの電力残量情報を受信するように作用する。演算手段は電子機器装置の実際の電力消費量から消費電力情報を算出するように作用する。記憶手段は演算手段により算出された消費電力情報を記憶するように作用する。表示手段はバッテリによる電子機器装置の使用可能時間を表示するように作用する。演算手段は、電子機器装置の電源が切られた状態において、受信手段により受信した電力残量情報と記憶手段により記憶された消費電力情報とに基づいて、使用可能時間を算出するように作用する。表示手段は、演算手段により算出された使用可能時間を表示するように作用する。
【００１１】
本発明の電子機器システムによれば、以下の作用をする。
通信手段はバッテリと通信するように作用する。受信手段はバッテリから通信手段を介してバッテリの電力残量情報を受信するように作用する。演算手段は電子機器装置の実際の電力消費量から消費電力情報を算出するように作用する。記憶手段は演算手段により算出された消費電力情報を記憶するように作用する。表示手段はバッテリによる電子機器装置の使用可能時間を表示するように作用する。演算手段は、電子機器装置の電源が切られた状態において、受信手段により受信した電力残量情報と記憶手段により記憶された消費電力情報とに基づいて、使用可能時間を算出するように作用する。表示手段は、演算手段により算出された使用可能時間を表示するように作用する。
【発明の効果】
【００１２】
本発明の電子機器装置は、電子機器装置の電源が切られた状態において、演算手段は、受信手段により受信した電力残量情報と記憶手段により記憶された消費電力情報とに基づいて、使用可能時間を算出し、表示手段は、演算手段により算出された使用可能時間を表示するようにしたので、充電中の蓄電池を装置に装着した状態で、装置側で表示させて知ることができるという効果を奏する。
【００１３】
また、本発明の電子機器装置は、上述において、表示手段は、電子機器装置の電源が切られたバッテリの充電中に、通信手段により受信した電力残量情報と記憶手段により記憶された消費電力情報とに基づいて算出された使用可能時間を表示することで、使用可能残時間が表示されるため、完全な充電終了を持たずに、現在の時点で蓄電池を装置に使用することができるか否かの判断を装置側で行うことができるという効果を奏する。
【００１４】
また、本発明の電子機器装置は、上述において、電子機器装置の電源が切られた状態とは、少なくとも撮像手段、記録手段、再生手段の動作が停止している状態であるので、装置の電源を切った状態（充電状態）での使用可能残時間を知ることができるという効果を奏する。
【００１５】
また、本発明の電子機器システムは、電子機器装置の電源が切られた状態において、演算手段は、受信手段により受信した電力残量情報と記憶手段により記憶された消費電力情報とに基づいて、使用可能時間を算出し、表示手段は、演算手段により算出された使用可能時間を表示するので、充電中の蓄電池を装着部に装着した状態で、直ちに表示させて知ることができるという効果を奏する。
【発明を実施するための最良の形態】
【００１６】
以下、適宜図面を参照しながら本発明の実施の形態を詳述する。本実施の形態の充電量表示装置は、カメラ一体型ＶＴＲに装着および内蔵された蓄電池に対して充電器により充電する際に表示手段により充電量を表示するカメラ一体型ＶＴＲ（以下、ビデオカメラ装置という。）に適用されるものである。
【００１７】
図1は、本発明の実施の形態の充電量表示付きビデオカメラ装置を示す図である。図1において、まず、接続状態を説明する。ビデオカメラ装置Ａの装着部に蓄電池Ｂとしてインフォリチウムバッテリー（情報表示可能なリチウムバッテリー）を装着する。次に、充電器ＣのＡＣアダプターコードをビデオカメラ装置ＡのＤＣ入力端子に接続する。そして、充電器Ｃに電源コードを接続した後に、ＡＣ１００Ｖの家庭用電源コンセントに差し込む。これで接続が完了する。
【００１８】
上述した接続状態において、ビデオカメラ装置Ａの電源スイッチ２０を「切」（ＯＦＦ）に切り替える。すると、蓄電池Ｂとしてインフォリチウムバッテリーに対して、充電器Ｃから充電が開始される。充電が開始されると、ビデオカメラ装置Ａの表示部２１にバッテリー残量時間が表示される。このバッテリー残量時間とは、充電中に現在の充電状態でビデオカメラ装置Ａのカメラ部またはＶＴＲ部または両者を動作させた場合にどのくらいの使用可能残時間があるのかを示す時間情報である。
【００１９】
ここで、上述したように、充電器で充電中に充電中の蓄電池の使用可能残時間を計算する場合には、充電状態におけるビデオカメラ装置Ａのカメラ部またはＶＴＲ部または両者の消費電力情報が必要であるが、後述するビデオカメラ装置Ａのマイクロプロセッサにより、蓄電池Ｂとの通信を介して、演算されるようになされている。
【００２０】
これにより、現在どの程度のビデオカメラ装置Ａのカメラ部またはＶＴＲ部または両者の動作可能残時間があるかを知ることができる。例えば、図1において、充電開始時には動作可能残時間が１００分であったのに対して、所定時間の充電により現在の動作可能残時間が１２０分にアップしたことを表示部２１における数値表示により具体的に知ることができる。
【００２１】
次に、図２を用いて、本実施の形態の充電量表示装置が適用されるビデオカメラ装置Ａと蓄電池Ｂとの接続状態およびこれらの構成を説明する。図２において、Ａは蓄電池Ｂから電源電圧が供給されるビデオカメラ装置であり、Ｂはビデオカメラ装置Ａに蓄電された電源電圧を供給する蓄電池である。
【００２２】
ビデオカメラ装置Ａの１は装置内部の回路に電源を供給する電圧レギュレータ、２は蓄電池Ｂ内部のマイクロプロセッサ８と通信を行い蓄電池Ｂ内のメモリ９に記憶されている電力残量情報をマイクロプロセッサ８から受け取り使用可能残時間を計算して表示することができるマイクロプロセッサ、３はマイクロプロセッサ２と通信可能でビデオカメラ装置Ａ自身の消費電力情報（単位時間当たりの電力消費量）等および蓄電池Ｂの残量計算を記憶することができるメモリ、４は通信を仲介するインタフェース回路、２１はマイクロプロセッサ２が計算した使用可能残時間を表示する表示部である。
【００２３】
また、蓄電池Ｂの５と６は蓄電池セルであり、７は蓄電池Ｂ内部の回路に電源を供給する電圧レギュレータ、８はビデオカメラ装置Ａ内のマイクロプロセッサ２と通信を行うことができるマイクロプロセッサである。このマイクロプロセッサ８は入力Ａ／Ｄ変換器を有している。９はメモリでマイクロプロセッサ８と通信可能であり、ビデオカメラ装置Ａからの消費電力情報等を受け取って記憶し、蓄電池Ｂの残量計算も記憶される。１０はインタフェース回路、１１は充放電電流検出回路で蓄電池Ｂの充放電電流が検出され、この値はマイクロプロセッサ８に入力Ａ／Ｄ変換器を介して入力される。また、充電器Ｃにおいて、１２は交流入力電源を直流に変換し、電圧、電流を制御して蓄電池Ｂの充電を制御する充電制御回路である。
【００２４】
この蓄電池Ｂの動作をこれらの図に沿って説明する。まず、ビデオカメラ装置Ａにおいて、メモリ３に消費電力情報が記憶される。この消費電力情報は予め設定したプリセット値であってもよいし、実際の電力消費量からマイクロプロセッサ２で計算した値であってもよい。
【００２５】
このビデオカメラ装置Ａに蓄電池Ｂを装着して使用する際に、ビデオカメラ装置Ａ内のマイクロプロセッサ２は、インタフェース回路４およびインタフェース回路１０を介して蓄電池Ｂ内のマイクロプロセッサ８と通信する。この際に、ビデオカメラ装置Ａ内のメモリ３に記憶されている消費電力情報が蓄電池Ｂに送られ、蓄電池Ｂ内のメモリ９に記憶される。また、蓄電池Ｂ内のメモリ９に記憶されている電力残情報がビデオカメラ装置Ａに送られ、ビデオカメラ装置Ａ内のメモリ３に記憶される。
【００２６】
また、充放電電流検出回路１１からＡ／Ｄ変換器を介して実際の電力使用量がマイクロプロセッサ８に取り込まれる。マイクロプロセッサ８ではこの電力使用量を常に積算する。この積算値をもとに計算された電力残量情報をメモリ９に記憶する。
【００２７】
ここで用いられるメモリ９には特別な制限はない。マイクロプロセッサ８の内蔵タイプのメモリや、ＲＡＭや、不揮発性のメモリなど種々の形態のメモリタイプが使用できる。
【００２８】
一方、ビデオカメラ装置Ａ内のマイクロプロセッサ２は、蓄電池Ｂ内のメモリ９に記憶されている消費電力情報および電力残量情報をマイクロプロセッサ８から受け取り使用可能残時間を計算する。この計算された使用可能残時間は表示部２１に送られ、表示される。残量情報（単位はＡｈで表される）の計算式の例を数１式に示す。
【００２９】
［数１］
残量情報＝基準残量情報＋充電電力積算値−使用電力積算値
【００３０】
すなわち、この式では残量情報は蓄電池の出荷時の基準残量情報（定格容量）に、その後の充電電力の履歴情報を加え、使用電力の履歴情報を減算したものとして表す。
【００３１】
また、使用可能残時間（単位はｈで表される）の計算式の例を数２式に示す。
【００３２】
［数２］
使用可能残時間＝（残量情報−ａ）×ｂ／消費電力情報
【００３３】
ここで、消費電力情報は使用対象機器（本実施の形態ではビデオカメラ装置）の単位時間当たりの電力使用量であり、ａは使用対象機器によって決まり、温度や電力消費量等に関係する値であり、ｂは蓄電池によって決まる定数（蓄電池固有値）である。
【００３４】
すなわち、この式では使用可能残時間を蓄電池の残量情報から使用対象機器の電力使用に関する値ａを減じ、それに蓄電池固有値ｂをかけた値を、単位時間当たりの使用対象機器の消費電力で割って使用可能残時間としている。
【００３５】
このように、本実施の形態では、使用対象機器であるビデオカメラ装置Ａと蓄電池Ｂのそれぞれにマイクロプロセッサを設け、このマイクロプロセッサ間でデータの転送を行い、転送されたデータを用いて演算処理を行うことによって、充電器Ｃで蓄電池Ｂを充電中に、その蓄電池Ｂの現在の充電状況でビデオカメラ装置Ａに装着された蓄電池Ｂによりビデオカメラ装置Ａを使用できる残り時間をビデオカメラ装置Ａの表示部２１に表示するようにした。
【００３６】
すなわち、ビデオカメラ装置Ａと、蓄電池Ｂと、充電器Ｃとをそれぞれ接続してビデオカメラ装置Ａの電源スイッチ２０により電源を切った状態において、第１に、ビデオカメラ装置Ａと、蓄電池Ｂ間の通信により、ビデオカメラ装置Ａの消費電力情報をビデオカメラ装置Ａ内部のメモリおよび蓄電池Ｂ内部のメモリに記憶する。
【００３７】
第２に、ビデオカメラ装置Ａ内部のメモリ３および蓄電池Ｂ内のメモリ９には蓄電池Ｂと通信したビデオカメラ装置Ａの消費電力情報が記憶される。
【００３８】
第３に、ビデオカメラ装置Ａと蓄電池Ｂとの通信によってビデオカメラ装置Ａはビデオカメラ装置Ａの消費電力情報と蓄電池Ｂの電力残時間情報との２つの情報を知ることができる。
【００３９】
第４に、ビデオカメラ装置Ａは蓄電池Ｂの電圧、蓄電池Ｂの充電電流を、通信によって知りうる蓄電池Ｂ内で計算された電力残量情報と合わせて蓄電池Ｂの電力残量情報をさらに詳しく確認できる。
【００４０】
第５に、ビデオカメラ装置Ａは蓄電池Ｂの電力残量情報とビデオカメラ装置Ａの消費電力情報からビデオカメラ装置Ａでの蓄電池Ｂの使用可能残時間を計算する。
【００４１】
第６に、ビデオカメラ装置Ａはこの使用可能残時間を表示する。これによって、充電中の蓄電池Ｂをビデオカメラ装置Ａに装着した状態で、ビデオカメラ装置Ａの電源を切った状態（充電状態）での使用可能残時間を、ビデオカメラ装置Ａ側で表示させて知ることができるので、便利で使い勝手がよい。
【００４２】
また、このように使用可能残時間が表示されるため、完全な充電終了を待たずに、現在の時点で蓄電池をビデオカメラ装置Ａに使用することができるか否かの判断をビデオカメラ装置Ａ側で行うことができる。つまり、少ない充電時間でも、どのくらいの撮影が可能であるのかが分かるので、例えば、１５分充電して１時間撮影が可能であるということが分かるので、実際の使用に適している。
【００４３】
特に、蓄電池Ｂとしてインフォリチウムバッテリーを使用する場合は、充電後半で充電速度が遅くなるため、蓄電池を充電前半の比較的に速く充電できる段階で充電して繰り返して使用することによって効率的な充電が可能になる。
【００４４】
上述した本実施の形態では、使用対象機器をビデオカメラ装置Ａに適用する場合について説明したが、蓄電池を用いる電子機器であれば、これに限らず、他の、電子機器、例えば、ノート型パーソナルコンピュータ、携帯型電話機、ＰＨＳ（パーソナルハンディーフォン），ＰＯＳ（ポイントオブセールス）端末、リモートコントロール装置などに適用してもよい。
【００４５】
本実施の形態の充電量表示装置は、充電量を表示する表示手段としての表示部２１と、充電量に基づいて制御対象部を動作させる駆動手段としてのビデオカメラ装置Ａと、駆動手段に対して蓄積された電圧を供給する蓄電手段としての蓄電池Ｂと、蓄電手段を充電する充電手段としての充電器Ｃとを備え、蓄電手段が充電手段によって充電されているときに、表示手段により充電量を表示するようにしたので、充電中の蓄電池を装置に装着した状態で、装置側で表示させて知ることができる。
【００４６】
また、本実施の形態の充電量表示装置は、上述において、充電量は、充電量に応じて駆動手段が制御対象部を動作させることができる時間であるので、使用可能残時間が表示されるため、完全な充電終了を持たずに、現在の時点で蓄電池を装置に使用することができるか否かの判断を装置側で行うことができる。
【００４７】
また、本実施の形態の充電量表示装置は、上述において、駆動手段の制御対象部に対する電源の供給が停止しているときにも、表示手段により充電量を表示するようにしたので、装置の電源を切った状態（充電状態）での使用可能残時間を知ることができる。
【００４８】
また、本実施の形態の充電量表示方法は、蓄電部を装着部に装着した後に、蓄電部に対して充電する充電ステップと、充電ステップにより充電された電圧を蓄積する蓄電ステップと、蓄電ステップにより蓄積された充電量を表示する表示ステップと、蓄電ステップにより蓄積された電圧に基づいて制御対象部を動作させる駆動ステップとを備え、蓄電ステップが充電ステップによって充電されているときに、表示ステップにより充電量を表示するようにしたので、充電中の蓄電池を装着部に装着した状態で、直ちに表示させて知ることができる。
【００４９】
また、本実施の形態の充電量表示方法は、上述において、充電量は、充電量に応じて駆動ステップが制御対象部を動作させることができる時間であるので、使用可能残時間が表示されるため、完全な充電終了を持たずに、現在の時点で蓄電池を使用することができるか否かの判断を直ちに行うことができる。
【００５０】
また、本実施の形態の充電量表示方法は、上述において、駆動ステップの制御対象部に対する電源の供給が停止しているときにも、表示ステップにより充電量を表示するようにしたので、装置の電源を切った状態（充電状態）での使用可能残時間を知ることができる。
【図面の簡単な説明】
【００５１】
【図１】本発明の実施の形態の充電量表示付きビデオカメラ装置を示す図である。
【図２】本発明の実施の形態の充電量表示装置が適用されるビデオカメラ装置と蓄電池と充電器との接続状態およびこれらの構成を示す図である。
【符号の説明】
【００５２】
Ａ……ビデオカメラ装置、Ｂ……蓄電池、Ｃ……充電器、１……電圧レギュレータ、２……マイクロプロセッサ、３……メモリ、４……インタフェース回路、５……蓄電池セル、６……蓄電池セル、７……電圧レギュレータ、８……マイクロプロセッサ、９……メモリ、１０……インタフェース回路、１１……充放電電流検出回路、１２……充電制御回路、２０……電源スイッチ、２１……表示部
【図１】
2006333700.tif 000003
【図２】
2006333700.tif 000004